(57)【要約】【課題】コンテナ本体内に配置した有害物質、廃棄物等の収納容器の転倒、衝突を防止し、安全な搬送を行うことが可能なコンテナを提供する。【解決手段】前面／後面パネル５及び側面パネル６が突き合わされる角部内側に、垂直方向に沿う面取り部１５を設け、この面取り部１５に、被搬送物を固定するためのロープを支持する穴付き部材１７を設ける。そして、この穴付き部材１７に被搬送物を固定するためのロープを通すことで、被搬送物をコンテナ本体内に安定的に保持する。【選択図】図３
2008150088.tif 000002
【特許請求の範囲】
【請求項１】
被搬送物が載置される底面パネル、この底面パネルに垂直に立設された４枚の壁面パネル、これら壁面パネルの上部を塞ぐように配置された上面パネルからなるコンテナであって、
前記壁面パネルが突き合わされる角部内側には垂直方向に沿う面取り部が設けられ、この面取り部には、被搬送物を固定するためのロープ等の線材を支持する支持手段が設けられていることを特徴とするコンテナ。
【請求項２】
前記支持手段は、被搬送物を固定するためのロープ等の線材を支持する穴付き部材であることを特徴とする請求項１記載のコンテナ。
【発明の詳細な説明】
【技術分野】
【０００１】
本発明は有害物質を安全に搬送できるコンテナに関する。
【背景技術】
【０００２】
コンテナによりPCB等の有害物質、廃棄物を運搬することが行われている。この種の有害物質、廃棄物の搬送に利用されるコンテナとして例えば特許文献１（特開平７−２２９１号公報）に示されるものがある。この公報に示される廃棄物用コンテナは、コンテナ本体にガイドを設けて段積を容易に行えるようにする、また、固縛／ロック機構を設けてコンテナ本体をトラック、鉄道、船舶等の輸送手段に固定できるものである。
【特許文献１】特開平７−２２９１号公報
【発明の開示】
【発明が解決しようとする課題】
【０００３】
ところで、上記のようなコンテナはそれ自体の取り扱いを容易にするものであって、例えばコンテナ内に収納した有害物質又は廃棄物の収納容器の転倒、衝突を考慮した構成とはなっておらず、この点において改善が求められていた。
【０００４】
本発明は、従来の有していた問題を解決しようとするものであって、コンテナ本体内に配置した有害物質、廃棄物等の収納容器の転倒、衝突を防止し、安全な搬送を行うことが可能なコンテナの提供を目的とする。
【課題を解決するための手段】
【０００５】
そして、上記目的を達成するために本発明の課題解決手段では、被搬送物が載置される底面パネル、この底面パネルに垂直に立設された４枚の壁面パネル、これら壁面パネルの上部を塞ぐように配置された上面パネルからなるコンテナであって、前記壁面パネルが突き合わされる角部内側に垂直方向に沿う面取り部を設け、さらにこの面取り部に、被搬送物を固定するためのロープ等の線材を支持する支持手段を設ける。
【０００６】
また、本発明の課題解決手段では、前記支持手段を、被搬送物を固定するためのロープ等の線材を支持する穴付き部材とする。
【発明の効果】
【０００７】
以上説明した本発明の課題解決手段に示されるコンテナでは、壁面パネルが突き合わされる角部内側に垂直方向に沿う面取り部を設け、この面取り部に、被搬送物を固定するためのロープ等の線材を支持する支持手段を設けたことから、この支持手段を例えば穴付き部材とし、この穴付き部材に被搬送物を固定するための線材を通すことで、被搬送物がコンテナ本体内に安定的に保持される。これによって有害物質、廃棄物が収納される被搬送物としての収納容器の転倒、衝突が防止され、この収納容器からの有害物質、廃棄物の漏洩を防止することができる。また、壁面パネルの角部内側に４箇所ある面取り部のそれぞれに、ロープ等の線材を支持する支持手段が設けられることから、コンテナ内の対角線の中心位置に被搬送物を置き、支持手段に対して被搬送物をたすき掛けとなるように縛り付けることができ、安定した状態でコンテナ内に保持することができる。また、これら面取り部は、壁面パネルが突き合わされる角部内側に垂直方向に沿って露出するように設けられているので、角部の洗浄が容易であり、コンテナ内を清潔に保つことも可能である。
【発明を実施するための最良の形態】
【０００８】
以下に本発明の実施の形態を図１〜図４に基づいて説明する。図１はコンテナの全体を示す図であって、図１（ａ）はその正面図、（ｂ）はその側面図である。これらの図において符号１で示されるコンテナ本体は、被搬送物が載置される底面パネル２、この底面パネル２の縁部に垂直に立設された壁面パネル３、上面に位置して蓋となる上面パネル４とからなり、また、壁面パネル３は、前面／後面パネル５及び２枚の側面パネル６から構成されている。また、これらのパネル２〜４は内部及び縁部に骨組み（符号５Ａ、６Ａで示す）を有し、頑丈な四角形状の構造とされている。
【０００９】
このコンテナ本体１の上面パネル４は、内部に被搬送体を出し入れするために、前面／後面パネル５及び側面パネル６からなる壁面パネル３に対して脱着とされ、この壁面パネル３には、蓋となる上面パネル４を壁面パネル３に対して締め付けてロックするためのキャッチクリップ７が設けられている。なお、このキャッチクリップ７では、図１に示すように合計１４ヶ所設けられているが、その個数については限定されない。また、上面パネル４の下面にはゴムパッキン（図示略）が設けられ、上面パネル４を、壁面パネル３に取り付けた際に、このゴムパッキンによって、コンテナ本体１内に収納した有害物質、廃棄物が外部に漏れないように、その接触面をシールすることができる。
【００１０】
また、コンテナ本体１の側面パネル６上部にはコンテナ全体を吊り下げるための貫通孔８を有する吊り金具９が設けられている。そして、クレーンが貫通孔８を介して吊り金具９を支持することにより、コンテナ全体がクレーンで吊り下げられるようになっている。なお、この吊り金具９は、２枚の側面パネル６の上部に２個ずつ固定されている。
【００１１】
また、コンテナ本体１の底面パネル２には脚部１０が設けられている。この脚部１０は底面パネル２の裏側に一定の間隔をおいて設けられたものであって、この脚部１０によって、底面パネル２と床面との間に間隙１１が形成される。そして、この隙間１１内にフォークリフトのフォークを差し込むことによって、コンテナ全体が持ち上げられるようになっている。
【００１２】
次に、コンテナ本体１の内部構造について説明する。図２は図１に示されるコンテナ本体１の上面パネル２を外した状態の平面図、図３（ａ）〜（ｅ）はその詳細図である。図２、図３（ａ）において符号１５で示すものは、コンテナ本体１の内部に設けられた面取り部である。面取り部１５は、前面／後面パネル５及び側面パネル６がそれぞれ突き合わされる角部内側に合計４ヶ所設けられている。また、この面取り部１５は、前面／後面パネル５及び側面パネル６が突き合わされる角部内側を埋めるような形で、これらパネル５・６に対して水平方向に４５度の角度で配置され（図２参照）、かつ、図３（ｂ）に示されるように全体として長方形状でありその表面が垂直方向に沿うように配置され形成されている。また、この面取り部１５を含む前面／後面パネル５及び側面パネル６の角部（図３（ａ）に符号１６で示す箇所参照）はＬ字鋼などの型鋼で一体に成形されており、従来のような９０度の角度を有しかつその角部分で溶接される従来のコンテナと比較して、外部からの衝撃に対して割れを発生させない高い強度を有している。この角部１６に位置する面取り部１５は、隣接する前面／後面パネル５及び側面パネル６の平面部分と溶接されて、これら前面／後面パネル５及び側面パネル６と連続かつ一体化している。
【００１３】
また、４ヶ所の面取り部１５には、コンテナ本体１内の被搬送物を固定するためのロープ（線材）を支持する穴付き部材１７が溶接により固定されている。この穴付き部材１７は、L型鋼の組み合わせにより、上方から見た場合にＴ字状に形成され（図３（ａ）〜（ｄ）参照）、かつその突出部１７Ａにロープを通すための貫通孔１８（図３（ｅ）参照）が設けられている。そして、この穴付き部材１７の貫通孔１８に、被搬送物を固定するためのロープを通すことで、被搬送物がコンテナ本体内に安定的に保持されるようになっている。なお、この実施形態では、図３（ｂ）〜（ｄ）に示すように、Ｔ字状の穴付き部材１７の突出部１７Ａを、面取り部１５の長さ方向に沿った垂直方向に配置したが、これに限定されず、図４（ａ）に示すようにＴ字状の穴付き部材１７の突出部１７Ａを、面取り部１５に対して水平となるように配置しても良い。また、図４（ｂ）に示すように穴付き部材１７の貫通孔１８に、ロープを結ぶためのリング１９をさらに設けても良い。なお、穴付き部材１７は１つの面取り部材１５に対して上下２箇所、合計で８箇所設けられているが、その数は限定されない。
【００１４】
以上のように構成されたコンテナでは、前面／後面パネル５及び側面パネル６が突き合わされる角部内側に、垂直方向に沿う面取り部１５を設け、この面取り部１５に、被搬送物を固定するためのロープを支持する穴付き部材１７を設けたことから、この穴付き部材１７に被搬送物を固定するためのロープを通すことで、被搬送物がコンテナ本体内に安定的に保持される。これによって有害物質、廃棄物等が収納される被搬送物としての収納容器の転倒、衝突が防止され、この収納容器からの有害物質、廃棄物等の漏洩を防止することができる。
【００１５】
また、前面／後面パネル５及び側面パネル６が突き合わされる４箇所の角部内側の面取り部１５に、ロープを支持する穴付き部材１７がそれぞれ設けられることから、コンテナ内の対角線の中心位置に被搬送物を置き、穴付き部材１７に対して被搬送物をたすき掛けとなるようにロープで縛り付けることができ、安定した状態でコンテナ内に保持することができる。また、面取り部１５は、前面／後面パネル５及び側面パネル６が突き合わされる角部内側に垂直方向に沿って露出するように設けられているので、角部の洗浄が容易であり、コンテナ内を清潔に保つことも可能である。
【００１６】
なお、被搬送物を支持するための支持手段として穴付き部材１７を使用したが、ロープを支持できるのであれば穴付き部材に限定されない。例えばフックのようなロープを引っ掛けるような部材であっても良い。また、上記実施の形態では、コンテナ内の収納容器の転倒を防止するためにロープを使用したが、これに限定されず、ロープ、ワイヤ、ワイヤロープ等の線材が適宜使用される。
【図面の簡単な説明】
【００１７】
【図１】コンテナの全体を示す図であって、図１（ａ）はその正面図、（ｂ）はその側面図。
【図２】図１（ｂ）に示されるコンテナのＡ−Ａ線平面図。
【図３】（ａ）コンテナ角部付近の壁面パネル３の平断面図、（ｂ）は図３（ａ）をＢ方向から見た図、（ｃ）は図３（ｂ）の穴付き部材１７を上方から見た平面図、（ｄ）は図３（ｃ）の穴付き部材１７を正面から見た拡大図、（ｅ）は図３（ｃ）の穴付き部材１７を側方から見た図。
【図４】（ａ）及び（ｂ）は支持手段の他の形態を示す図。
【符号の説明】
【００１８】
１  コンテナ本体
２  底面パネル
３  壁面パネル
４  上面パネル
５  前面／後面パネル
６  側面パネル
１５  面取り部
１６  角部
１７  穴付き部材（支持手段）
１８  貫通孔
【図１】
2008150088.tif 000003
【図２】
2008150088.tif 000004
【図３】
2008150088.tif 000005
【図４】
2008150088.tif 000006